(57)【要約】【課題】簡易な作業で分離手段の交換を行う事が可能なシート材給送装置またはシート材給送装置を備える画像形成装置を提供する。【解決手段】シート材を積載するシート材積載手段と、前記シート材積載手段に積載されたシート材を給送する給送ローラ４と、前記給送ローラから重送されたシート材を１枚ずつに分離する分離ローラ５と、を備えたシート材給送装置において、分離ローラ５と、分離ローラ５を保持する保持手段と、をユニット化した分離ローラユニット２０が、装置本体に対して着脱自在に構成されることを特徴とする。【選択図】図１
2008037639.tif 000002
【特許請求の範囲】
【請求項１】
シート材を積載するシート材積載手段と、
前記シート材積載手段に積載されたシート材を給送する給送ローラと、
前記給送ローラから重送されたシート材を１枚ずつに分離する分離ローラと、
を備えたシート材給送装置において、
前記分離ローラと該分離ローラを保持する保持手段とをユニット化した分離ローラユニットが、装置本体に対して着脱自在に構成されることを特徴とするシート材給送装置。
【請求項２】
前記分離ローラユニットは、
前記分離ローラを軸支する分離ローラホルダと該分離ローラホルダを支持するフレーム部材とを有する前記保持手段と、
前記フレーム部材に支持され、前記分離ローラホルダを前記給送ローラ側に付勢する分離ローラ加圧ばねと、
分離ローラに制動トルクを加えるトルクリミッタと、
を備えることを特徴とする請求項１に記載のシート材給送装置。
【請求項３】
前記シート材積載手段は、昇降可能に設けられた給送中板を備え、前記分離ローラは、前記給送中板の昇降に連動して前記給送ローラに圧接する方向に付勢される位置と、前記給送ローラから離間する位置との間で移動することを特徴とする請求項１または２に記載のシート材給送装置。
【請求項４】
前記給送ローラに対して接離可能に設けられ、重送されたシート材を１枚ずつに分離する分離パッドを備えた分離パッドユニットが、
前記分離ローラユニットと交換可能に装置本体に装着できることを特徴とする請求項１乃至３のいずれか１項に記載のシート材給送装置。
【請求項５】
前記分離パッドユニットは、
前記分離パッドを保持する分離パッドホルダと、
前記分離パッドホルダを前記給送ローラ側に付勢する分離パッド加圧ばねと、
前記分離パッドホルダ及び前記分離パッド加圧ばねを支持するフレーム部材と、
を備えること特徴とする請求項４に記載のシート材給送装置。
【請求項６】
請求項１乃至５のいずれか１項に記載のシート材給送装置と、
該シート材給送装置によって給送されたシート材に対して画像を形成する画像形成手段と、
を備えることを特徴とする画像形成装置。
【発明の詳細な説明】
【技術分野】
【０００１】
本発明は、積載された複数シート材から１枚ずつシート材を給送するシート材給送装置またはシート材給送装置を備えた画像形成装置に関する。
【背景技術】
【０００２】
従来、プリンタ等の画像形成装置に装着されるシート材給送装置には、シート材の積載手段から重送されたシート材を１枚ずつに分離する分離手段が備えられている。その中でも装置の小型化、分離性能の安定性を目的としたものとして、モータ等からの駆動力を使わない分離ローラ方式による分離手段が用いられている（特許文献１参照）。
【０００３】
分離ローラ方式による分離手段は、シート材を搬送経路下流側へ搬送する向きに回転する給送ローラと、トルクリミッタが設けられた分離ローラと、を備えている。そして、該分離ローラが該給送ローラに当接することで形成されるニップにおいて、重なって送られてきた（以下、この状態を重送と称する）シート材を分離する。
【０００４】
分離ローラは、トルクリミッタから制動トルクを受ける一方で、シート材が分離ローラと給送ローラのニップを通過する際は、該シート材から摩擦トルクをも受ける。制動トルクは、シート材を搬送経路下流側へ移動させないように分離ローラを停止させるトルクであり、一方、摩擦トルクは、シート材を搬送経路下流側へ搬送する向きに分離ローラを回転させるトルクである。
【０００５】
つまりシート材搬送時は、分離ローラに対して、互いに異なる向きに分離ローラを回転させる２つのトルク（制動トルクと摩擦トルク）が同時にはたらいている。よって、シート材を搬送する際にこれら２つのトルクが分離ローラに同時にはたらく際は、これら２つのトルクの大小関係で分離ローラの回転が決まる。
【０００６】
すなわちシート材が重送されてきた場合は、給送ローラが及ぼす摩擦トルクは重送されてきたシート材同士の滑りにより減少するので、制動トルクの方が摩擦トルクよりも相対的に大きくなる。その結果、分離ローラは制動トルクにより停止して分離ローラ側のシート材を停止させるので、重送されてきたシート材を分離することが可能となる。
【０００７】
一方、シート材が１枚だけ給送される場合は、給送ローラが及ぼす摩擦トルクが制動トルクよりも相対的に大きくなる。その結果、分離ローラは給送ローラと連れ回りして、シート材を搬送方向下流側に搬送する向きに回転する。よってシート材はそのまま搬送方向下流側へ搬送されることになる。
【特許文献１】特開平０８−２７７０４６号公報
【発明の開示】
【発明が解決しようとする課題】
【０００８】
しかしながら、上記従来のシート材給送装置、及びシート材給送装置を備えた画像形成装置には以下のような問題があった。
【０００９】
重送されたシート材を１枚ずつに分離する為に、分離ローラの表面部材にはゴム等の摩擦係数が大きな材質が用いられている。しかし、シート材を多量に分離、搬送すると、シート材との摩擦によって分離ローラの表面部材が磨耗し、そのため分離ローラの分離性能が低下してしまう。
【００１０】
よって装置の分離性能を一定に保つためには、表面部材が磨耗した分離ローラを交換する必要がある。しかしながら、従来の画像形成装置においては装置本体の構成上、分離ローラを交換する際に給送ローラ、画像形成部等の部品も取り外す必要があり、その為に分離ローラの交換は非常に労力を要するといった問題点があった。
【００１１】
また、一般的に分離ローラを用いる分離方式の方が、分離パッドを用いる分離方式よりも分離性能の点において優れている。一方で、分離ローラを用いる分離方式は、分離ローラにトルクリミッタが設けられているのでより多くの部品を必要とし、コストの点においては、分離パッドを用いた分離方式の方が、分離ローラを用いる分離方式よりも低コストでユーザーに提供することができる。
【００１２】
ユーザーの中には、装置本体の価格よりも分離性能を重視するユーザー、もしくは分離性能よりも装置本体の価格を重視するユーザー等、様々なニーズが存在する。このようなニーズに対応する為に、従来は分離パッド方式、または分離ローラ方式のそれぞれの分離方式を備えた装置を提供していた。
【００１３】
しかしながら、分離方式が異なるこれらの装置は、分離手段以外の部品形状も異なっているので、ユーザーのニーズに応じるためには、部品形状の異なる２種類の画像形成装置を生産する必要があった。その結果、それぞれの分離方式を備えた装置に対する生産要求数に変動が生じた場合に、その対応に時間がかかるといった問題点があった。
【００１４】
また、より安価な分離パッド形式の分離方式を設けた画像形成装置を提供し、ユーザーが装置の使用途中で更に高い分離性能を求めた場合でも、従来の装置の構成では分離手段のみを交換することが出来なかった。その為、ユーザーの要求に応じる為には、分離ローラ方式など、分離性能の優れた分離手段を備えた画像形成装置を新たに用意する必要があり、結果として多くのコストを生じさせるといった問題点があった。
【００１５】
本発明はこのような従来技術の実情に鑑みてなされたもので、その目的は、分離手段の交換を行う際に、他の部品を取り外すことなく簡易な作業で分離手段の交換が行えるシート材給送装置、及びシート材給送装置を備える画像形成装置を提供することにある。
【課題を解決するための手段】
【００１６】
上記目的を達成するために本発明にあっては、シート材を積載するシート材積載手段と、前記シート材積載手段に積載されたシート材を給送する給送ローラと、前記給送ローラから重送されたシート材を１枚ずつに分離する分離ローラと、を備えたシート材給送装置において、前記分離ローラと、該分離ローラを保持する保持手段と、をユニット化した分離ローラユニットが、装置本体に対して着脱自在に構成されることを特徴とする。
【発明の効果】
【００１７】
本発明によれば、分離ローラと該分離ローラを支持する部材をユニット化して分離ローラユニットとするとともに、該分離ローラユニットを装置本体に対して着脱可能な構成とした。それにより、簡易な作業で分離手段の交換を行う事が可能なシート材給送装置またはシート材給送装置を備える画像形成装置を提供することができる。
【発明を実施するための最良の形態】
【００１８】
以下、図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれのみに趣旨するものではない。
【００１９】
（第１の実施の形態）
図１、図２及び図３を用いて、本発明に係るシート材給送装置及びシート材給送装置を備える画像形成装置の第１の実施の形態について説明する。図１はシート材の積載手段からシート材を給送する際の装置の概略構成図であり、図２はシート材が給送待機状態の際の装置の概略構成図である。図３は装置本体から分離ローラユニットを着脱する際の状態を示したものである。
【００２０】
第１の実施の形態においては、画像形成装置としてレーザービームプリンタを用いている。レーザービームプリンタは像担持体としての感光体にレーザー光を照射し、感光体表面を走査する電子写真方式を用いた画像形成装置である。
【００２１】
以下、レーザービームプリンタの構成について説明する。
【００２２】
装置本体内部には、シート材Ｐのシート材積載手段として給送トレイ１と給送圧板３が備えられている。またシート材Ｐの搬送方向に対して直交する方向で、かつシート材搬送面に対して垂直な方向は、シート材幅規制板２によってガイドされる。なお、給送トレイ１は装置本体に折りたたみ収納が可能な構成となっている。
【００２３】
またシート材Ｐを積載している給送圧板３は、その下面側を圧板付勢手段としての圧板付勢ばね３ａによって支持され、圧板付勢ばね３ａから受ける力によって、給送ローラ４の方向に揺動する構成となっている。
【００２４】
シート材Ｐを給送トレイ１及び給送圧板３の上に積載した後、プリント開始信号が入力されると、装置本体に設けられたモータ１６が稼動する。そしてモータ１６の稼動により、シート材がシート材搬送方向に搬送されるように、かつ画像形成動作が行われるように、給送ローラ４、搬送ローラ８、トナーカートリッジ１０、定着加圧ローラ１３、排出ローラ１４が駆動される。
【００２５】
給送ローラ４が図１に示す矢印Ｂ方向に回転を開始すると、それと共に、給送ローラ４の回転軸上に設けられた不図示の給送カムも回転する。そして、給送カムと連動して給送圧板３が図２に示す矢印Ａ方向に上昇して、図２に示す状態から図１に示す状態になる。なお、給送ローラ４によりシート材を一枚送る毎に給送カムの動作により給送圧板３が昇降する。
【００２６】
一方、給送圧板３の上昇に伴い、給送圧板３に積載されている複数枚のシート材（以下、シート束と称する）のうち、最上位にあるシート材が給送ローラ４に当接し、順次給送される。そしてシート束の最上位のシート材が給送されると、給送圧板３は圧板付勢ばね３ａによって、さらに給送ローラ４の方向へ押し上げられ、再びシート束の最上位のシート材が給送ローラ４に当接される状態になる。
【００２７】
この際、給送ローラ４が当接するシート束の最上位のシート材に対して給送ローラ４から摩擦力が働き、該摩擦力によって最上位のシート材が給送される。しかしながらこの時に複数のシート材が重送される場合があるので、シート材給送装置には重送されたシート材を１枚ずつに分離する為の分離手段が備えられている。
【００２８】
次に第１の実施の形態に係るシート材給送装置における分離手段の構成、動作について説明する。
【００２９】
第１の実施の形態に係るシート給送装置においては、分離ローラユニット２０を用いた分離ローラ方式の分離手段が備えられている。分離ローラユニット２０は、分離ローラ５と、分離ローラホルダ６と、分離ローラホルダ６を支持するフレーム部材１８と、分離ロ
ーラ加圧ばね７と、を備えている。なお、この分離ローラ方式は、モータ等からの駆動力を使わないで後述するトルクリミッタの制動トルクを用いてシート材を分離するものである。
【００３０】
分離ローラ５の表面部材にはゴムが用いられ、重送されてきた複数のシート材のうち、給送ローラ４に当接していないシート材を給送ローラ４に当接しているシート材から分離する。分離ローラ５の内部にはトルクリミッタが設けられている。
【００３１】
分離ローラホルダ６は、分離ローラ５を軸支するもので、リブ６ａと回動中心６ｂが設けられている。リブ６ａは、シート材を給送しない給送待機時（図２参照）は、給送圧板３の下面側と当接し、シート材を給送する際は、給送圧板３から離間する（図１参照）。また回動中心６ｂを中心として、分離ローラホルダ６は回動可能な構成となっている。また、分離ローラホルダ６はフレーム部材１８によって支持される。
【００３２】
また、分離ローラ加圧ばね７は、分離ローラホルダ６とフレーム部材１８との間に設けられ、回動中心６ｂを回動中心として、分離ローラホルダ６を給送ローラ４の方向に付勢させる為の弾性部材である。
【００３３】
このように分離ローラホルダ６が回動可能な構成であると共に、分離ローラ加圧ばね７が分離ローラホルダ６を給送ローラ４の方へ付勢するので、分離ローラホルダ６に軸支された分離ローラ５が給送ローラ４に当接可能な構成となっている。
【００３４】
そして、これらの部材（分離ローラ５、分離ローラホルダ６、分離ローラ加圧ばね７、フレーム部材１８）によって分離ローラユニット２０が構成されている。分離ローラユニット２０は、フレーム部材１８に設けられたビス１９によって装置本体に着脱可能に設けられる。ここで、フレーム部材１８を装置本体に締結する手段として、本実施の形態ではビス１９を用いたが、スナップフィット等を用いてより安価にフレーム部材１８を装置本体に装着することも可能である。
【００３５】
給送開始信号が入力されると、不図示の１回転制御手段により給送ローラ４が１回転してシート材を給送する。そして、給送ローラ４の回転軸と同軸上に設けられた給送カムと連動して給送圧板３が図２に示す矢印Ａ方向に上昇し、分離ローラ５を保持する分離ローラホルダ６のリブ６ａが給送圧板３から離間する。そして分離ローラホルダ６は分離ローラ加圧ばね７によって、給送ローラ４の方向へ揺動し、分離ローラホルダ６に軸支される分離ローラ５が給送ローラ４に当接する。
【００３６】
そして、給送圧板３に積載されているシート材が給送ローラ４で給送され、給送ローラ４と分離ローラ５のニップで分離が行われ、分離されたシート材は搬送経路下流側へ搬送される。このように重送されてくるシート材に対しては、分離ローラ５を停止させてシート材を分離する必要があるが、給送されてくるシート材が１枚の場合は分離を行う必要はなく、分離ローラ５と給送ローラ４によってそのまま搬送経路下流側へ搬送すればよい。
【００３７】
つまりシート材が重送されてくる場合は、重送されてくるシート材のうち、分離ローラ５に当接する側のシート材を停止させるために分離ローラ５が停止すればよい。一方、給送されてくるシート材が１枚の場合は、分離ローラ５はシート材を搬送方向下流側に搬送する向きに回転すればよい。
【００３８】
本実施の形態では、分離ローラ５の内部に設けられているトルクリミッタの作用により、このような分離ローラ５の回転の切り替えを行っている。
【００３９】
本実施の形態で用いられるトルクリミッタは、分離ローラ５が、シート材を搬送方向下流側へ送る方向へ回転するのを規制して分離ローラ５を停止させておくための制動トルクを、所定の大きさに設定するものである。分離ローラ５には、トルクリミッタから加わる制動トルクと、シート材を介して給送ローラ４側から作用する摩擦トルクが作用している。
【００４０】
シート材が１枚又はシート材が無い場合は、シート材又は給送ローラ４と分離ローラ５間の摩擦トルクが、トルクリミッタを介して分離ローラ５に伝達される制動トルクと比較して相対的に大きくなるため、分離ローラ５が給送ローラ４に連れ回りする。よってシート材は搬送方向下流側へ搬送される。
【００４１】
一方、シート材が重送される場合は、シート同士のすべりにより、給送ローラ４から分離ローラ５に伝達される摩擦トルクが減少する。よって、分離ローラ５に加わっている制動トルクが摩擦トルクよりも相対的に大きくなる。その結果、分離ローラ５が停止して、分離ローラ５に当接する側のシート材が搬送方向下流側へ送られるのを阻止されて、重送されたシート材が分離される。
【００４２】
以上の構成で、給送ローラ４と分離ローラ５によって１枚ずつに分離されたシート材Ｐは、搬送ローラ８によって、転写ローラ１１とトナーカートリッジ１０とで構成される画像形成部へ搬送される。
【００４３】
トナーカートリッジ１０には感光ドラム１０ａと、トナー容器１０ｂと、帯電ローラ１０ｃと、現像スリーブ１０ｄ、クリーニングブレード１０ｅと、廃トナー容器１０ｆと、が備えられている。画像形成時には、像担持体としての感光ドラム１０ａに当接しつつ不図示の高圧電源から給電される帯電ローラ１０ｃによって、感光ドラム１０ａの表面上が一様に帯電される。
【００４４】
そして、レーザー露光装置１７から感光ドラム１０ａにレーザー光が照射され、感光ドラム１０ａの表面上をレーザー光が走査し、感光ドラム１０ａの表面上に静電潜像を形成する。ここで、レーザー露光装置１７からレーザー光が照射されるタイミングは、シート材先端検知フラグ９に設けられた不図示のフォトセンサによって決定される。
【００４５】
すなわち、搬送ローラ８によってシート材が画像形成部に搬送される際に、シート材がシート材先端検知フラグ９を倒し（図１参照）、シート材先端検知フラグ９が回動することにより、前記フォトセンサがシート材Ｐの先端位置を検知する。そしてシート材Ｐの先端位置を検知するとともに、タイミングを計ってレーザー露光装置１７からレーザー光が照射される。
【００４６】
上記構成により感光ドラム１０ａの表面上に形成された静電潜像に対し、トナー容器１０ｂから供給されたトナーが付着し、これにより静電潜像がトナー像として可視化される。そして可視化されたトナー像は、転写ローラ１１によって、給送トレイ１から給送されたシート材Ｐ上に転写される。転写されずに感光ドラム１０ａ上に残った残トナーは、クリーニングブレード１０ｅにより廃トナー容器１０ｆに収納され、表面をクリーニングされた感光ドラム１０ａは、再び次の画像形成プロセスに入る。
【００４７】
トナー像が転写されたシート材Ｐは定着加熱部材１２と定着加圧ローラ１３で加熱、加圧される事で、シート材Ｐの表面上にトナー像が永久定着する。その後トナー像が定着したシート材Ｐは、排出ローラ１４により装置外部へ排出され（図１矢印Ｄ方向）、排出トレイ１５上に積載される。
【００４８】
一方、給送ローラ４はシート材の給送が終わると、給送ローラ４の回転が終了する前に、給送ローラ４の同軸上に設けられた不図示の給送カムが給送圧板３を押し下げ、図２に示す給送待機状態に戻す。この時、給送圧板３は分離ローラホルダ６に設けられたリブ６ａを押し下げる。これにより給送ローラ４に当接していた分離ローラ５は離間し、給送待機状態になる（図２参照）。
【００４９】
また本実施の形態では、分離ローラ５の表面部材の材質としてゴムを用いたが、本実施の形態に係るシート給送装置は、これに限定されるものではない。分離ローラ５と給送ローラ４のニップに送られてくるシート材が１枚の場合には、分離ローラ５に作用する摩擦トルクよりも、制動トルクの方が小さくなるような材質であればよい。一方、シート材が重送されてくる場合は、制動トルクが摩擦トルクよりも大きくなるような材質を分離ローラ５の表面部材に用いればよい。
【００５０】
また本実施の形態においては、分離ローラホルダ６とフレーム部材１８の間に分離パッドホルダ加圧ばね７を設けた。しかし、給送圧板３と分離ホルダ６のリブ６ａとの間に引っ張りばねを設けて、給送圧板３の動作に連動させて分離ローラ６を給送ローラ４に対して揺動可能な構成としてもよい。
【００５１】
以上述べたように本実施の形態では、分離ローラ５を給送ローラ４に対して当接または離間させる動作を、別途設けられた駆動手段によって行わず、分離ローラホルダ６を給送圧板３に連動させることで行った。
【００５２】
このような構成で給送ローラ４に対し分離ローラ５を当接、離間可能にしたので、分離ローラ５を給送ローラ４に当接、または離間させるための駆動源を装置本体内部に設ける必要がない。よって図３に示すように、本実施の形態に係るシート給送装置においては、分離手段の交換の際に装置のトナーカートリッジ１０、給送ローラ４、給送圧板３等の部品を取り外す必要がない。その結果、分離ローラ５の交換性に優れたシート給送装置、及びシート給送装置を備えた画像形成装置を提供することができる。
【００５３】
（第２の実施の形態）
図４及び図５を用いて、本発明に係るシート給送装置の第２の実施の形態について説明する。図４は分離パッドユニット３０が取り付けられた画像形成装置の断面の概略構成図である。図５は画像形成装置から分離パッドユニット３０と分離ローラユニット２０を交換する際の断面の概略構成図である。
【００５４】
なお、画像形成手段の構成、シート材の積載手段の構成は第１の実施の形態と異なるものではないので、それについての説明は省略する。ここでは、第２の実施の形態の特徴である、シート材の分離手段の構成についてのみ説明する。
【００５５】
第１の実施の形態に係るシート材給送装置では、分離手段として分離ローラユニット２０を装置本体内部に備えることで、重送されたシート材に対して分離を行う構成とした。しかし、本発明に係るシート材給送装置、及びシート材給送装置を備える画像形成装置の分離手段は、これに限定されるものではない。
【００５６】
第２の実施の形態に係るシート材給送装置、及びシート材給送装置を備える画像形成装置においては、シート材の分離手段として分離パッドユニット３０を備える構成とした。さらに、分離パッドユニット３０は分離ローラユニット２０と交換可能な構成とした。
【００５７】
分離パッドユニット３０は、分離パッド２４と、分離パッドホルダ２１と、分離パッド加圧ばね２３と、フレーム部材２２を備えている。
【００５８】
分離パッドホルダ２１は分離パッド２４を保持するもので、分離パッドホルダ２１に設けられた回動中心２１ｂを回動の中心として、回動可能に構成されるとともに、フレーム部材２２に支持されている。分離パッド加圧ばね２３は、フレーム部材２２に支持され、分離パッドホルダ２１を給送ローラ４の方向へ揺動させるための弾性部材である。
【００５９】
そして、これらの部材（分離パッド２４、分離パッドホルダ２１、フレーム部材２２、分離パッド加圧ばね２３）によって分離パッドユニット３０が構成される。そして分離パッドユニット３０は、フレーム部材２２に設けられたビス１９によって装置本体に着脱可能に設けられる。
【００６０】
以下、分離パッドユニット３０によるシート材の分離動作について説明する。
【００６１】
給送開始信号が入力されると、不図示の１回転制御手段により給送ローラ４が１回転してシート材を給送する。そして、給送ローラ４の回転軸と同軸上に設けられた給送カムと連動して給送圧板３が矢印Ａ方向に上昇すると、分離パッド２４を保持する分離パッドホルダ２１のリブ２１ａが給送圧板３から離間する。そして分離パッドホルダ２１は分離パッド加圧ばね２３によって、給送ローラ４の方向へ揺動し、分離パッドホルダ２１に保持される分離パッド２４が給送ローラ４に圧接する。
【００６２】
給送圧板３に積載されているシート材が給送ローラ４で給送されてきたシート材は、給送ローラ４と分離パッド２４の圧接部で分離が行われ、分離されたシート材は搬送方向下流へ搬送される。
【００６３】
以上の構成で、分離パッドユニット３０によって１枚ずつに分離されたシート材Ｐは、搬送ローラ８によって、転写ローラ１１とトナーカートリッジ１０とで構成される画像形成部へ搬送される。
【００６４】
また、第２の実施の形態に係るシート材給送装置、及びシート材給送装置を備える画像形成装置においては、シート材の分離手段として分離パッドユニット３０を用いたが、ユーザーのニーズに応じて、分離ローラユニット２０と交換する構成であってもよい。
【００６５】
分離パッドユニット３０を分離ローラユニット２０と交換する際は、分離パッドユニット３０を装置本体から取り外し、分離ローラユニット２０を分離部に設置する作業のみでよい（図５参照）。この構成によれば、従来のように分離手段の交換の際に、分離ユニット以外の部品を取り外す必要がないので、性能や価格の異なる分離手段を容易に交換してユーザーに提供することが可能となる。
【００６６】
このように、異なる分離手段を装置本体に対して交換可能な構成とすることで、それぞれの分離手段を備えるシート材給送装置に対する生産要求数に変動が生じた場合でも、迅速にかつ簡単に対応することが可能となる。また、ユーザーが分離手段の変更を希望した場合も、分離手段の交換の際に分離手段以外の部材を取り外す必要がないので、簡易な作業で分離手段の変更を行うことができる。
【図面の簡単な説明】
【００６７】
【図１】本発明の第１の実施の形態に係るシート材給送装置の、シート材給送時における断面の概略構成図
【図２】本発明の第１の実施の形態に係るシート材給送装置の、シート材給送待機時における断面の概略構成図
【図３】本発明の第１の実施の形態に係るシート材給送装置から分離ローラユニットを取り外した状態における断面の概略構成図
【図４】本発明の第２の実施の形態に係るシート材給送装置において、分離パッドユニットを取り付けた状態を示す断面の概略構成図
【図５】本発明の第２の実施の形態に係るシート材給送装置において、分離手段の交換時の断面における概略構成図
【符号の説明】
【００６８】
１      給送トレイ
２      シート材幅規制板
３      給送圧板
４      給送ローラ
５      分離ローラ
６      分離ローラホルダ
７      分離ローラ加圧ばね
８      搬送ローラ
９      シート材先端検知フラグ
１０    トナーカートリッジ
１０ａ  感光ドラム
１０ｂ  トナー容器
１０ｃ  帯電ローラ
１０ｄ  現像スリーブ
１０ｅ  クリーニングブレード
１０ｆ  廃トナー容器
１１    転写ローラ
１２    定着加熱部材
１３    定着加圧ローラ
１４    排出ローラ
１５    排出トレイ
１６    モータ
１７    レーザー露光装置
１８    フレーム部材
１９    ビス
２０    分離ローラユニット
２１    分離パッドホルダ
２３    分離パッド加圧ばね
２４    分離パッド
３０    分離パッドユニット
【図１】
2008037639.tif 000003
【図２】
2008037639.tif 000004
【図３】
2008037639.tif 000005
【図４】
2008037639.tif 000006
【図５】
2008037639.tif 000007